(57)【特許請求の範囲】
【請求項１】
ＩＳＤＮ通信制御装置（２）の操作方法において、
ＩＳＤＮ網でつながる任意のサブアドレスを指定できるＩＳＤＮ機器（１）からＩＳＤＮ通信制御装置（２）に操作種別と操作に関わるデータをサブアドレスとしたサブアドレス付き発呼を行うと、この発呼を受けてＩＳＤＮ通信制御装置（２）の処理対応テーブル（５）内に事前定義された操作種別を示すサブアドレス情報と照合し、一致するサブアドレスが見つけられたら、サブアドレスを指定できるＩＳＤＮ機器（１）との通信を切断した後、前記処理対応テーブル（５）に一致したサブアドレスと対で事前定義された処理を操作に関わるデータを基に実行する手順を備えた、
ことを特徴とするＩＳＤＮ通信制御装置の遠隔操作方法。
【請求項２】
前記操作方法において、
ＩＳＤＮ網でつながる任意のサブアドレスを指定できるＩＳＤＮ機器（１）からＩＳＤＮ通信制御装置（２）に環境定義情報の変更処理を示す操作種別と操作に関わるデータをサブアドレスとしたサブアドレス付き発呼を行うと、この発呼を受けて前記処理対応テーブル（５）内に事前定義された環境定義情報の変更処理を含む操作種別を示すサブアドレス情報と照合して、一致するサブアドレスが見つけられたら、サブアドレスを指定できるＩＳＤＮ機器（１）との通信を切断した後、前記処理対応テーブル（５）に一致したサブアドレスと対で事前定義された環境定義情報の変更処理を操作に関わるデータを基に実行する手順を備えた、
ことを特徴とする請求項１に記載のＩＳＤＮ通信制御装置の遠隔操作方法。
【請求項３】
前記操作方法において、
ＩＳＤＮ網でつながる任意のサブアドレスを指定できるＩＳＤＮ機器（１）からＩＳＤＮ通信制御装置（２）にパスワードを用いた操作種別と操作に関わるデータをサブアドレスとしたサブアドレス付き発呼を行うと、この発呼を受けて前記処理対応テーブル（５）内に事前定義されたパスワードを用いた操作種別を示すサブアドレス情報と照合して、一致するサブアドレスが見つけられたら、サブアドレスを指定できるＩＳＤＮ機器（１）との通信を切断した後、前記処理対応テーブル（５）に一致したサブアドレスと対で事前定義された処理を操作に関わるデータを基に実行する手順を備えた、
ことを特徴とする請求項１に記載のＩＳＤＮ通信制御装置の遠隔操作方法。
【請求項４】
ＩＳＤＮ通信制御装置（２）において、
操作種別を示すサブアドレスおよびその処理が１組もしくは複数組事前定義された処理対応テーブル（５）と、
ＩＳＤＮ網でつながる任意のサブアドレスを指定できるＩＳＤＮ機器（１）からＩＳＤＮ通信制御装置（２）に操作種別と操作に関わるデータをサブアドレスとしたサブアドレス付き発呼を行うと、この発呼を受けて前記処理対応テーブル（５）に事前定義された操作種別を示すサブアドレス情報と照合して、一致するサブアドレスが見つけられたら、サブアドレスを指定できるＩＳＤＮ機器（１）との通信を切断した後、前記処理対応テーブル（５）に一致したサブアドレスと対で事前定義された処理を操作に関わるデータを基に実行する一連の処理を行う処理実行部（４）とを備えた、
ことを特徴とする遠隔操作機能を有するＩＳＤＮ通信制御装置。
【請求項５】
前記処理対応テーブル（５）は、環境定義情報の変更処理を示す操作種別のサブアドレスおよびその処理を含み、
前記処理実行部（４）は、ＩＳＤＮ網でつながる任意のサブアドレスを指定できるＩＳＤＮ機器（１）からＩＳＤＮ通信制御装置（２）に環境定義情報の変更処理を示す操作種別と操作に関わるデータをサブアドレスとしたサブアドレス付き発呼を行うと、この発呼を受けて環境定義情報を含む操作種別を示すサブアドレス情報と照合して、一致するサブアドレスが見つけられたら、サブアドレスを指定できるＩＳＤＮ機器（１）との通信を切断した後、前記処理対応テーブル（５）に一致したサブアドレスと対で定義された環境定義情報の変更処理を操作に関わるデータを基に実行して環境定義情報格納部（６）に格納された環境定義情報を変更する一連の処理を行う、
ことを特徴とする請求項４に記載の遠隔操作機能を有するＩＳＤＮ通信制御装置。
【請求項６】
前記処理対応テーブル（５）は、パスワードを用いた操作種別のサブアドレスおよびその処理を含み、
前記処理実行部（４）は、ＩＳＤＮ網でつながる任意のサブアドレスを指定できるＩＳＤＮ機器（１）からＩＳＤＮ通信制御装置（２）にパスワードを用いた操作種別と操作に関わるデータをサブアドレスとしたサブアドレス付き発呼を行うと、この発呼を受けてパスワードを用いた操作種別を示すサブアドレス情報と照合して、一致するサブアドレスが見つけられたら、サブアドレスを指定できるＩＳＤＮ機器（１）との通信を切断した後、前記処理対応テーブル（５）に一致したサブアドレスと対で定義された処理を操作に関わるデータを基に実行する一連の処理を行う、
ことを特徴とする請求項４に記載の遠隔操作機能を有するＩＳＤＮ通信制御装置。
【請求項７】
ＩＳＤＮ通信制御装置（２）の操作を実現するプログラムを格納する記録媒体であって、
コンピュータに、
ＩＳＤＮ網でつながる任意のサブアドレスを指定できるＩＳＤＮ機器（１）からＩＳＤＮ通信制御装置（２）に操作種別と操作に関わるデータをサブアドレスとしたサブアドレス付き発呼を行うと、この発呼を受けてＩＳＤＮ通信制御装置（２）の処理対応テーブル（５）内に事前定義された操作種別を示すサブアドレス情報と照合して、一致するサブアドレスが見つけられたら、サブアドレスを指定できるＩＳＤＮ機器（１）との通信を切断した後、前記処理対応テーブル（５）に一致したサブアドレスと対で事前定義された処理を操作に関わるデータを基に実行させる手順を実行するためのプログラムを記録したコンピュータ読み取り可能な記録媒体。
【発明の詳細な説明】
【０００１】
【発明の属する技術分野】
本発明はＩＳＤＮ網を介した通信の制御を行うＩＳＤＮ通信制御装置の柔軟な運用を可能とするＩＳＤＮ通信制御装置の遠隔操作方法および遠隔操作機能を有するＩＳＤＮ通信制御装置並びに記録媒体に関する。
【０００２】
【従来の技術】
通信制御装置はデータ回線を介してデータ授受の制御を行う装置である。中でもＩＳＤＮ通信制御装置は電話、ファクシミリ、データ通信等の授受が行える。ここで、ＩＳＤＮ通信制御装置への接続例を上げると、一方にＩＳＤＮ網が、もう一方にＬＡＮ接続のパソコン、電話器、ファクシミリ装置が接続される。この動作を説明すると、例えばＩＳＤＮ通信制御装置に他のＩＳＤＮ通信制御装置からＩＳＤＮ網を通して通話の着信情報が送られてきたとき、これを、そのＩＳＤＮ通信制御装置が受信処理すべきものかどうかは予めＩＳＤＮ通信制御装置内に設定された環境定義情報によって切りわけられている。着信情報に持つ送信先を示す電話番号情報とＩＳＤＮ通信制御装置内部の環境定義情報に持つ接続されている電話器の電話番号情報を比較して、一致する場合は受信処理を行い、不一致の場合は着信情報を無視する。なお、環境定義情報には電話の転送先の情報も設定可能であり、ＩＳＤＮ通信制御装置が着信情報に持つ送信先の電話番号情報と環境定義情報に持つ接続されている電話器の電話番号情報の一致を見た後、それに転送先の電話番号情報が設定されてあれば、転送処理も行う。
【０００３】
ここで、ＩＳＤＮ通信制御装置の環境定義情報の設定に従来技術で一般的に使用される操作システムは図６のような構成をしている。
【０００４】
このシステムはＩＳＤＮ通信制御装置２１とパソコンＡ２３で構成される。
【０００５】
ＩＳＤＮ通信制御装置２１はＩＳＤＮ網を介した通話、データ通信、ファクシミリ通信の授受の制御を行い、内部に環境定義情報が登録される環境定義情報格納部２２を持つ。
【０００６】
パソコンＡ２３は環境定義情報の設定操作に使用される。
【０００７】
ついで、環境定義情報の設定は以下のように行われる。
【０００８】
パソコンＡ２３で環境定義情報の設定を行うプログラムを起動すると、設定条件を指定させる画面が表示される。
【０００９】
ついで、画面の設定条件入力欄に、ＩＳＤＮ通信制御装置２１へ設定する相手先情報、着信条件情報、パソコンＢ２４が接続されている場合のパソコンＢ２４の制御情報、アナログ機器２５が接続されている場合のアナログ機器２５の制御情報を指定する。
【００１０】
設定条件に従った環境定義情報がＩＳＤＮ通信制御装置２１の環境定義情報格納部２２に登録される。
【００１１】
【発明が解決しようとする課題】
しかしながら、上記方法の場合、以下のような運用上の問題がある。
【００１２】
環境定義情報の設定操作はそのＩＳＤＮ通信制御装置に接続されたパソコンからのみと制限されるため、外出先へ社内の特定電話への着信を転送させたい場合に、社内の関係者に電話で環境定義情報の変更操作を依頼しないと変更できないことやその依頼のための電話代がかさむという不便さがある。
【００１３】
また、ＩＳＤＮ通信制御装置は環境定義情報以外に制御プログラムの動作条件の変更が必要となるが、この場合もＩＳＤＮ通信制御装置に接続されたパソコンでしか変更できず、柔軟な運用ができない。
【００１４】
そのため本出願の課題はＩＳＤＮ通信制御装置の柔軟な運用を可能とするための以下の３項目である。
【００１５】
ＩＳＤＮ通信制御装置を無課金で、遠隔操作できること。
【００１６】
遠隔操作の一つとして環境定義情報を変更できること。
【００１７】
部外者の不正操作を防ぐため、アクセスを制限した遠隔操作ができること。
【００１８】
【課題を解決するための手段】
前記の問題点を解決するために本発明では、以下の方法を提案した。
【００１９】
本発明ではＩＳＤＮのサブアドレス機能を使用し、ＩＳＤＮ網上に接続の任意のサブアドレスを指定できるＩＳＤＮ機器からＩＳＤＮ通信制御装置に操作種別と操作に関わるデータをサブアドレスとしたサブアドレス付き発呼を行うと、この発呼を受けて、ＩＳＤＮ通信制御装置内に事前定義した操作種別を示すサブアドレス情報と照合して、一致するサブアドレスが見つかったら、発信元のサブアドレスを指定できるＩＳＤＮ機器との通信を切断した後、一致したサブアドレスと対で事前定義された処理を操作に関わるデータを基に実行させている。なお、この時点で通信が切断された場合は発信先との通信路が未設定のため課金はされない。これによって、無課金で遠隔操作できるようにしている。
【００２０】
また、ＩＳＤＮ網上に接続の任意のサブアドレスを指定できるＩＳＤＮ機器からＩＳＤＮ通信制御装置に環境定義情報の変更処理を示す操作種別と操作に関わるデータをサブアドレスとしたサブアドレス付き発呼を行うと、この発呼を受けて、ＩＳＤＮ通信制御装置内に事前定義した環境定義情報の変更処理を含む操作種別を示すサブアドレス情報と照合して、一致するサブアドレスが見つかったら、発信元のサブアドレスを指定できるＩＳＤＮ機器との通信を切断した後、一致したサブアドレスと対で事前定義された環境定義情報の変更処理を操作に関わるデータを基に実行させている。これによって、無課金で環境定義情報の遠隔操作ができるようにしている。
【００２１】
更に、ＩＳＤＮ網上に接続の任意のサブアドレスを指定できるＩＳＤＮ機器からＩＳＤＮ通信制御装置にパスワードを用いた操作種別と操作に関わるデータをサブアドレスとしたサブアドレス付き発呼を行うと、この発呼を受けて、ＩＳＤＮ通信制御装置内に事前定義されたパスワードを用いた操作種別を示すサブアドレス情報と照合して、一致するサブアドレスが見つかったら、発信元のサブアドレスを指定できるＩＳＤＮ機器との通信を切断した後、一致したサブアドレスと対で事前定義された処理を操作に関わるデータを基に実行させている。これによって、アクセスを制限した遠隔操作ができるようにしている。
【００２２】
【発明の実施の形態】
図１は本発明の原理構成図である。
【００２３】
本発明はサブアドレスを指定できるＩＳＤＮ機器１、ＩＳＤＮ通信制御装置２から構成されている。
【００２４】
サブアドレスを指定できるＩＳＤＮ機器１は遠隔操作に使用される。
【００２５】
ＩＳＤＮ通信制御装置２は、着信処理部３、処理実行部４、環境定義情報格納部６から構成される。
【００２６】
着信処理部３はＩＳＤＮ網からの着信情報を受け付けて、着信情報を処理実行部４へ渡したり、処理実行部４からの指示でサブアドレスを指定できるＩＳＤＮ機器１との通信制御、アナログ機器７との通話制御を行う。
【００２７】
処理実行部４は着信処理部３から起動され、着信情報から操作種別を示すサブアドレスを取り出して、処理対応テーブル５に事前定義されたサブアドレス情報と照合し、照合結果に基づき、発信元のサブアドレスを指定できるＩＳＤＮ機器１との通信切断、処理対応テーブル５に一致したサブアドレスと対で事前定義された処理を操作に関わるデータを基に実行する。また、着信処理部３への照合結果の通知を行う。なお、処理対応テーブル５は環境定義情報格納部６のような処理実行部４につながる外部に有ってもよい。
【００２８】
環境定義情報格納部６は環境定義情報が登録されているファイルである。
【００２９】
アナログ機器７はＩＳＤＮ通信制御装置２に接続された任意のアナログ機器を示す。
【００３０】
ついで図１の構成図を基に本発明のＩＳＤＮ通信制御装置を無課金で遠隔操作できるようにした処理を説明すると以下のようになる。
【００３１】
まずＩＳＤＮ網上の任意のサブアドレスを指定できるＩＳＤＮ機器１からＩＳＤＮ通信制御装置２に操作種別と操作に関わるデータをサブアドレスとしたサブアドレス付き発呼を行う。
【００３２】
着信処理部３は着信情報を受け付け、着信情報を処理実行部４へ渡す。
【００３３】
処理実行部４は着信情報の操作種別を示すサブアドレスを処理対応テーブル５に事前定義された操作種別を示すサブアドレス情報と照合して、一致するサブアドレスが見つけられたら、着信処理部３を介してサブアドレスを指定できるＩＳＤＮ機器１との通信を切断した後、処理対応テーブル５に一致したサブアドレスと対で事前定義された処理を操作に関わるデータを基に実行する。なお、一致するサブアドレスが見つけられない場合は、着信処理部３にその旨通知し、着信処理部３が通常の処理を実行する。例えばアナログ機器７との通信路を形成し、通話の送受信を実行する。
【００３４】
以上のように、サブアドレス機能を利用して、ＩＳＤＮ網上の任意のサブアドレスを指定できるＩＳＤＮ機器からＩＳＤＮ通信制御装置に操作種別と操作に関わるデータをサブアドレスとしたサブアドレス付き発呼を行うと、ＩＳＤＮ通信制御装置でこの発呼を受けて内部に事前定義された操作種別を示すサブアドレス情報と照合し、一致するサブアドレスが見つけられたら、発信元のサブアドレスを指定できるＩＳＤＮ機器との通信を切断した後、一致したサブアドレスと対で事前定義された処理を操作に関わるデータを基に実行させて、ＩＳＤＮ通信制御装置を無課金で遠隔操作できるようにしている。
【００３５】
また、図１の構成図を基に前記の遠隔操作の一つとしての本発明の環境定義情報の遠隔操作処理を説明すると以下のようになる。
【００３６】
まずＩＳＤＮ網上の任意のサブアドレスを指定できるＩＳＤＮ機器１からＩＳＤＮ通信制御装置２に環境定義情報の変更処理を示す操作種別と操作に関わるデータをサブアドレスとしたサブアドレス付き発呼を行う。
【００３７】
着信処理部３は着信情報を受け付け、着信情報を処理実行部４へ渡す。
【００３８】
処理実行部４は着信情報の操作種別を示すサブアドレスを処理対応テーブル５に事前定義された環境定義情報の変更処理を含む操作種別を示すサブアドレス情報と照合し、一致するサブアドレスが見つけられたら、着信処理部３を介してサブアドレスを指定できるＩＳＤＮ機器１との通信を切断した後、処理対応テーブル５に一致したサブアドレスと対で事前定義された環境定義情報の変更処理を操作に関わるデータを基に実行する。なお、一致するサブアドレスが見つけられない場合は、着信処理部３にその旨通知し、着信処理部３が通常の処理を実行する。例えばアナログ機器７との通信路を形成し、通話の送受信を実行する。
【００３９】
以上のように、サブアドレス機能を利用して、ＩＳＤＮ網上の任意のサブアドレスを指定できるＩＳＤＮ機器からＩＳＤＮ通信制御装置に環境定義情報の変更処理を示す操作種別と操作に関わるデータをサブアドレスとしたサブアドレス付き発呼を行うと、ＩＳＤＮ通信制御装置でこの発呼を受けて内部に事前定義された環境定義情報の変更処理を含む操作種別を示すサブアドレス情報と照合し、一致するサブアドレスがみつけられたら、発信元のサブアドレスを指定できるＩＳＤＮ機器との通信を切断した後、一致したサブアドレスと対で事前定義された環境定義情報の変更処理を操作に関わるデータを基に実行させて、ＩＳＤＮ通信制御装置の環境定義情報を無課金で遠隔操作できるようにしている。
【００４０】
一方、図１の構成図を基に本発明のＩＳＤＮ通信制御装置のアクセスを制限した遠隔操作ができるようにした処理を説明すると以下のようになる。
【００４１】
まずＩＳＤＮ網上の任意のサブアドレスを指定できるＩＳＤＮ機器１からＩＳＤＮ通信制御装置２にパスワードを用いた操作種別と操作に関わるデータをサブアドレスとしたサブアドレス付き発呼を行う。
【００４２】
着信処理部３は着信情報を受け付け、着信情報を処理実行部４へ渡す。
【００４３】
処理実行部４は着信情報の操作種別を示すサブアドレスを処理対応テーブル５に事前定義されたパスワードを用いた操作種別を示すサブアドレス情報と照合して、一致するサブアドレスが見つけられたら、着信処理部３を介してサブアドレスを指定できるＩＳＤＮ機器１との通信を切断した後、処理対応テーブル５に一致したサブアドレスと対で事前定義された処理を操作に関わるデータを基に実行する。なお、一致するサブアドレスが見つけられない場合は、着信処理部３にその旨通知し、着信処理部３が通常の処理を実行する。例えばアナログ機器７との通信路を形成し、通話の送受信を実行する。
【００４４】
以上のように、サブアドレス機能を利用して、ＩＳＤＮ網上の任意のサブアドレスを指定できるＩＳＤＮ機器からＩＳＤＮ通信制御装置にパスワードを用いた操作種別と操作に関わるデータをサブアドレスとしたサブアドレス付き発呼を行うと、ＩＳＤＮ通信制御装置でこの発呼を受けて内部に事前定義されたパスワードを用いた操作種別を示すサブアドレス情報と照合し、一致するサブアドレスが見つけられたら、発信元のサブアドレスを指定できるＩＳＤＮ機器との通信を切断した後、一致したサブアドレスと対で事前定義された処理を操作に関わるデータを基に実行することで、ＩＳＤＮ通信制御装置のアクセスを制限した遠隔操作ができるようにしている。
【００４５】
なお、ＩＳＤＮ通信制御装置の操作にＩＳＤＮのサブアドレス機能を使用した下記機能を実現させるためのプログラムをコンピュータ読み取り可能な適切な種々のプログラム記録媒体に記録する。
【００４６】
ＩＳＤＮ網上の任意のサブアドレスを指定できるＩＳＤＮ機器からＩＳＤＮ通信制御装置に操作種別と操作に関わるデータをサブアドレスとしたサブアドレス付き発呼を行うと、ＩＳＤＮ通信制御装置でこの発呼を受けて内部に事前定義された操作種別を示すサブアドレス情報と照合し、一致するサブアドレスが見つけられたら、発信元のサブアドレスを指定できるＩＳＤＮ機器との通信を切断した後、一致したサブアドレスと対で事前定義された処理を操作に関わるデータを基に実行させることで、ＩＳＤＮ通信制御装置を無課金で遠隔操作できるようにする機能。
【００４７】
ＩＳＤＮ網上の任意のサブアドレスを指定できるＩＳＤＮ機器からＩＳＤＮ通信制御装置に環境定義情報の変更処理を示す操作種別と操作に関わるデータをサブアドレスとしたサブアドレス付き発呼を行うと、ＩＳＤＮ通信制御装置でこの発呼を受けて内部に事前定義された環境定義情報の変更処理を含む操作種別を示すサブアドレス情報と照合し、一致するサブアドレスが見つけられたら、発信元のサブアドレスを指定できるＩＳＤＮ機器との通信を切断した後、一致したサブアドレスと対で事前定義された環境定義情報の変更処理を操作に関わるデータを基に実行させることで、ＩＳＤＮ通信制御装置の環境定義情報を無課金で遠隔操作できるようにする機能。
【００４８】
ＩＳＤＮ網上の任意のサブアドレスを指定できるＩＳＤＮ機器からＩＳＤＮ通信制御装置にパスワードを用いた操作種別と操作に関わるデータをサブアドレスとしたサブアドレス付き発呼を行うと、ＩＳＤＮ通信制御装置でこの発呼を受けて内部に事前定義されたパスワードを用いた操作種別を示すサブアドレス情報と照合し、一致するサブアドレスが見つけられたら、発信元のサブアドレスを指定できるＩＳＤＮ機器との通信を切断した後、一致したサブアドレスと対で事前定義された処理を操作に関わるデータを基に実行させることで、ＩＳＤＮ通信制御装置のアクセスを制限した遠隔操作ができるようにする機能。
【００４９】
【実施例】
続いて本発明の一実施例をＩＳＤＮ通信制御装置の一種のＩＳＤＮルータを無課金で遠隔操作できるようにする処理、操作種別に環境定義情報の変更処理を指定することで、環境定義情報を無課金で遠隔操作できるようにする処理、操作種別の指定にパスワードを用いることでＩＳＤＮルータのアクセスを制限した遠隔操作ができるようにした処理の順で図面を基に説明する。
【００５０】
まずは図２の本発明の一実施例構成図を説明する。
【００５１】
本システムはＩＳＤＮ電話機１１、ＩＳＤＮルータ１２、アナログ電話機１３から構成されている。
【００５２】
ＩＳＤＮ電話機１１はＩＳＤＮ網上の任意のＩＳＤＮ電話機でＩＳＤＮルータ１２の遠隔操作に使用される。
【００５３】
ＩＳＤＮルータ１２は、着信処理部３、処理実行部４、環境定義情報格納部６から構成される。
【００５４】
着信処理部３はＩＳＤＮ網からの着信情報を受け付けて、着信情報を処理実行部４へ渡したり、処理実行部４からの指示でＩＳＤＮ電話機１１との通信制御、アナログ電話機１３との通信制御を行う。
【００５５】
処理実行部４は着信処理部３から起動され、着信情報から操作種別を示すサブアドレスを取り出して、処理対応テーブル５に事前定義されたサブアドレス情報と照合し、照合結果に基づき、発信元のＩＳＤＮ電話機１１との通信切断、処理対応テーブル５に一致したサブアドレスと対で事前定義された処理を操作に関わるデータを基に実行する。また、着信処理部３への照合結果の通知を行う。
【００５６】
環境定義情報格納部６は環境定義情報が登録されているファイルである。
【００５７】
アナログ電話機１３はＩＳＤＮルータ１２に接続された任意のアナログ電話器を示す。
【００５８】
ついで図２に示す本発明の一実施例構成図と図３に示すフローチャートを基に本発明の一実施例としてのＩＳＤＮルータを無課金で遠隔操作できるようにした処理を説明すると以下のようになる。
【００５９】
ステップＳＴ０１：ＩＳＤＮ電話機１１からＩＳＤＮルータ１２に操作種別と操作に関わるデータをサブアドレスとして指定したサブアドレス付き発呼を行う。
【００６０】
ステップＳＴ０２：着信処理部３は発呼を受けて、着信情報を処理実行部４へ渡す。
【００６１】
ステップＳＴ０３：処理実行部４は着信情報の操作種別を示すサブアドレスを処理対応テーブル５に事前定義された操作種別を示すサブアドレス情報と照合して、一致するサブアドレスが見つけられたら、ステップＳＴ０４へ進む。全て不一致の場合はステップＳＴ０６へ分岐する。
【００６２】
ステップＳＴ０４：処理実行部４は着信処理部３を介してＩＳＤＮ電話機１１との通信を切断する。
【００６３】
ステップＳＴ０５：処理実行部４は処理対応テーブル５に一致したサブアドレスと対で事前定義された処理を操作に関わるデータを基に実行する。
【００６４】
ステップＳＴ０６：処理実行部４は着信処理部３に一致するサブアドレスがみつけられなかったことを通知する。着信処理部３はこれを受けて通常の処理を実行する。例えばアナログ電話機１３との通信路を設定し、通話の送受信制御を行う。
【００６５】
ついで、図２に示す本発明の一実施例構成図と図４に示すフローチャートを基に本発明の一実施例としてのＩＳＤＮルータの環境定義情報を無課金で遠隔操作できるようにした処理を説明すると以下のようになる。
【００６６】
ステップＳＴ１１：ＩＳＤＮ電話機１１からＩＳＤＮルータ１２に環境定義情報の変更処理を示す操作種別と操作に関わるデータをサブアドレスとして指定したサブアドレス付き発呼を行う。
【００６７】
ステップＳＴ１２：着信処理部３は発呼を受けて、着信情報を処理実行部４へ渡す。
【００６８】
ステップＳＴ１３：処理実行部４は着信情報の操作種別を示すサブアドレスを処理対応テーブル５に事前定義された環境定義情報の変更処理を含む操作種別を示すサブアドレス情報と照合して、一致するサブアドレスが見つけられたら、ステップＳＴ１４へ進む。全て不一致の場合はステップＳＴ１６へ分岐する。
【００６９】
ステップＳＴ１４：処理実行部４は着信処理部３を介してＩＳＤＮ電話機１１との通信を切断する。
【００７０】
ステップＳＴ１５：処理実行部４は処理対応テーブル５に一致したサブアドレスと対で事前定義された環境定義情報の変更処理を操作に関わるデータを基に実行する。
【００７１】
ステップＳＴ１６：処理実行部４は着信処理部３に一致するサブアドレスがみつけられなかったことを通知する。着信処理部３はこれを受けて通常の処理を実行する。例えばアナログ電話機１３との通信路を設定し、通話の送受信制御を行う。
【００７２】
また、図２に示す本発明の一実施例構成図と図５に示すフローチャートを基に本発明の一実施例としてのＩＳＤＮルータのアクセスを制限した遠隔操作ができるようにした処理を説明すると以下のようになる。
【００７３】
ステップＳＴ２１：ＩＳＤＮ電話機１１からＩＳＤＮルータ１２に、パスワードを操作種別の先に入れて用い、操作に関わるデータも加えてサブアドレスとして指定したサブアドレス付き発呼を行う。
【００７４】
ステップＳＴ２２：着信処理部３は発呼を受けて、着信情報を処理実行部４へ渡す。
【００７５】
ステップＳＴ２３：処理実行部４は着信情報の操作種別を示すサブアドレスを処理対応テーブル５に事前定義されたパスワードが頭に用いられた操作種別を示すサブアドレス情報と照合して、一致するサブアドレスが見つけられたら、ステップＳＴ２４へ進む。全て不一致の場合はステップＳＴ２６へ分岐する。
【００７６】
ステップＳＴ２４：処理実行部４は着信処理部３を介してＩＳＤＮ電話機１１との通信を切断する。
【００７７】
ステップＳＴ２５：処理実行部４は処理対応テーブル５に一致したサブアドレスと対で事前定義された処理を操作に関わるデータを基に実行する。
【００７８】
ステップＳＴ２６：処理実行部４は着信処理部３に一致するサブアドレスがみつけられなかったことを通知する。着信処理部３はこれを受けて通常の処理を実行する。例えばアナログ電話機１３との通信路を設定し、通話の送受信制御を行う。
【００７９】
本発明は、ＩＳＤＮ通信制御装置の無課金での遠隔操作に適用できる。
【００８０】
【発明の効果】
本発明はＩＳＤＮ通信制御装置の柔軟な運用を可能とし、以下の点で効果がある。
【００８１】
ＩＳＤＮ通信制御装置を無課金で遠隔操作できる。
【００８２】
また、前記遠隔操作の一つとしてＩＳＤＮ通信制御装置の環境定義情報の遠隔操作ができる。
【００８３】
さらに、サブアドレスの操作種別の指定にパスワードを用いることで、ＩＳＤＮ通信制御装置のアクセスを制限した遠隔操作ができる。
【図面の簡単な説明】
【図１】本発明の原理構成図である。
【図２】本発明の一実施例構成図である。
【図３】本発明の一実施例としてのＩＳＤＮルータを無課金で遠隔操作できるようにした処理フローチャートである。
【図４】本発明の一実施例としてのＩＳＤＮルータの環境定義情報を無課金で遠隔操作できるようにした処理フローチャートである。
【図５】本発明の一実施例としてのＩＳＤＮルータのアクセスを制限した遠隔操作ができるようにした処理フローチャートである。
【図６】従来技術の一例としてのＩＳＤＮ通信制御装置の操作システム構成図である。
【符号の説明】
１  サブアドレスを指定できるＩＳＤＮ機器
２  ＩＳＤＮ通信制御装置
３  着信処理部
４  処理実行部
５  処理対応テーブル
６  環境定義情報格納部
７  アナログ機器
１１  ＩＳＤＮ電話機
１２  ＩＳＤＮルータ
１３  アナログ電話機
【図１】
0003808650.tif 000002
【図２】
0003808650.tif 000003
【図３】
0003808650.tif 000004
【図４】
0003808650.tif 000005
【図５】
0003808650.tif 000006
【図６】
0003808650.tif 000007